(57)【特許請求の範囲】
【請求項１】
適宜間隔をおいて立設された支柱の頂部に天板の下面に固設された天板受けを枢支することにより該天板を前記支柱に対し水平状態から垂直状態に回動可能とされた折畳みテーブルにおいて、前記天板の前端下部と目隠しパネルの上下方向中間部とをヒンジにより連結するとともに目隠しパネルの下端部と前記支柱とをリンクにより連結し、前記ヒンジは、クランク状に屈曲した屈曲部を有し、前記屈曲部の端部を前記天板の前端部の下面でピン結合し、前記天板を水平姿勢としたときには天板前端部と目隠しパネルとの間にケーブル等を挿通し得る間隙が形成されるとともに、前記目隠しパネルの上端部が前記天板の前端部から上方に突出して目隠しを形成するようにし、天板を垂直姿勢に折畳んだときには目隠しパネルの上半部が天板面にそって密着するようにしたことを特徴とする折畳みテーブル。
【発明の詳細な説明】
【０００１】
【発明の属する技術分野】
本発明は折畳みテーブルに係り、特に天板の前方に目隠し用パネルを備えた折畳みテーブルに関する。
【０００２】
【従来の技術】
折畳みテーブルの従来技術として先に本件出願人の出願に係るものとして実開平７−１８２６号公報（実願平５−３２３８９号）がある。
【０００３】
この折畳みテーブルの構造は、図５に示すように下面にキャスタｂを備えた一対の脚ａの上面に支柱ｃをそれぞれ立設して、その支柱ｃの頂部に天板ｄの裏面に設けた天板受けｅをピン等により回動自在に連結したもので、使用時、天板ｄを支柱ｃに対して水平状態に起こしてテーブルとなし、不使用時においては図６に示すように天板ｄを支柱ｃに沿うように折畳むことにより場所を取らずに保管することができるというものである。しかも多数の同じ型の折畳みテーブルを各キャスタｂの間に互い違いに接近させて置くことにより広い場所を取らずに多数保管することができる利点を有するものである。なお図中ｆは操作レバーを示す。
【０００４】
【発明が解決しようとする課題】
しかしながら上記の技術においては、２つの折畳みテーブルを向かい合わせで使用するとき、テーブル面には前方を隠すパネルがないために互いにテーブル上で仕事をしている内容が対面者から丸見えとなってしまい、特に人に見せたくないような手元の書類等の場合でも隠すことができないという欠点がある。
【０００５】
なお、パソコン等のＯＡ機器の普及により会議中においてもＯＡ機器を操作し、資料を検討したり、議事録をとるなど、頻繁に使用されるようになっており、この場合にも目隠しがあった方がよい。
【０００６】
また、閲覧用としてのパネル付きテーブルには、テーブルに固定されているパネル、あるいはテーブル同士に挟まれて立てたパネルによるものもあるが、これは移設や折畳み等ができないものであった。
【０００７】
さらに目隠しパネルがテーブルの天板に固定されているものでは、テーブル上でＯＡ機器を使用する場合、そのテーブルを天板上に引出すことができず、そのため天板にケーブル挿通穴を設けるなど、特別な形態とせざるを得ぬものであった。
【０００８】
【課題を解決するための手段】
本発明は、対面者に気兼ねなく仕事や書類の閲覧等ができ、かつＯＡ機器の使用時にはそのケーブルを自由に引出すことができる目隠し付きの折畳みテーブルを提供することを課題とする。
前記課題を解決するために、本発明は、適宜間隔をおいて立設された支柱の頂部に天板の下面に固設された天板受けを枢支することにより該天板を前記支柱に対し水平状態から垂直状態に回動可能とされた折畳みテーブルにおいて、前記天板の前端下部と目隠しパネルの上下方向中間部とをヒンジにより連結するとともに目隠しパネルの下端部と前記支柱とをリンクにより連結し、前記ヒンジは、クランク状に屈曲した屈曲部を有し、前記屈曲部の端部を前記天板の前端部の下面でピン結合し、前記天板を水平姿勢としたときには天板前端部と目隠しパネルとの間にケーブル等を挿通し得る間隙が形成されるとともに、前記目隠しパネルの上端部が前記天板の前端部から上方に突出して目隠しを形成するようにし、天板を垂直姿勢に折畳んだときには目隠しパネルの上半部が天板面にそって密着するようにしたことを特徴とする。
【０００９】
【発明の実施の形態】
以下、本発明を図１乃至図３に示す実施の形態を参照して説明する。
図１は本発明による折畳みテーブルの天板１を水平にして目隠しパネル２が天板１の前方に立ち上がった状態の側面を示し、図２は同天板１を垂直にして目隠しパネル２と共に折畳んだ状態の側面を示している。
【００１０】
図１において、適宜間隔をおいて設置される左右の脚３，３の上面にはそれぞれ支柱４，４が立設されており、各支柱４，４の頂部には天板１の下面に固着された天板受け５がピン６（図４示）により枢支され、このピン６を中心に天板１が前記支柱４に対し水平状態から垂直状態に回動可能となっている。
【００１１】
前記目隠しパネル２は、前記天板１と略等しい横幅を有する板材からなっている。
【００１２】
前記天板１の前端下部と目隠しパネル２の上下方向略中央位置とはヒンジ７により連結され、目隠しパネル２の下端部と前記支柱４とはリンク８により連結されている。
【００１４】
図示の実施形態では、図３にみられるように一つの部材からなるヒンジ部材９の上端をクランク状に屈曲させ、その屈曲部９ａの上端にヒンジ孔１０が穿設され、天板１の前端下面に固着の軸受部１１のヒンジ孔１２と上記ヒンジ孔１０とにピン１３（図１示）を挿着することにより回転自在なヒンジ７を構成するようにしており、前記屈曲部９ａの基部は天板１を垂直姿勢に回転させた時その前端部１ａを受け入れ得るよう傾斜面９ｂとされている。そして、天板１を水平姿勢としたとき天板１の前端部１ａと目隠しパネル２との間にケーブル等を挿通し得る間隙Ｌが形成されるようになっている。
【００１５】
前記ヒンジ部材９の下端は目隠しパネル２の下端近傍位置まで延び、このヒンジ部材９の下端と支柱４の上下方向中間位置とに前記のリンク８が連結されている。
【００１６】
前記目隠しパネル２は、天板１上でＯＡ機器（ディスプレイ）を設置して使用したとき対面者に対する電磁波の影響をなくするため鉄板等防磁材を内蔵した構成とすることが好ましい。
【００１７】
前記天板１の起伏構成は、前記の実開平７−１８２６号公報と同じ構造を採用することができる。念のためその具体的構造を説明すると、図４に示すように天板受け５の内部には左右の天板受け５，５を連結する連結杆１５が回動可能に設けられ、この連結杆１５の内側には別体の係止フック１６が固着されている。係止フック１６には一端部に溝１７があって、この溝１７は支柱４のピン６の近傍で上下に設けられた係止ピン１８，１９の何れかに係合するようになっている。また係止フック１６を常時係止ピン１８，１９の何れかに係合させておくために連結杆１５の回りにはコイルバネ２０が設けられている。
【００１８】
そして操作レバー２１と係止フック１６との間には連結部材２２が設けてあり、したがって操作レバー２１を矢印方向に回転させると、連結部材２２を介して係止フック１６がコイルバネ２０に抗して連結杆１５を中心として矢印方向に回転するため係止フック１６の溝１７は係止ピン１８から外れて非係合状態となる。
【００１９】
これによりテーブルの使用状態の水平姿勢にある天板１を垂直姿勢に折畳むには、操作レバー２１を矢印方向に回転させて係止フック１６の溝１７の係止ピン１８を外すと、天板１はピン６の回りに回転が自由となり、１点鎖線の状態を経て２点鎖線の垂直姿勢となる。この状態では係止フック１６の溝１７が係止ピン１９と係合するので天板は１′の位置、操作レバーは２１′の位置でそれぞれ固定される。また垂直姿勢から水平姿勢である使用状態にするにはこの逆の操作を行えばよい。
【００２０】
図１、図２において符号２３はコンセント類を置くため支柱４，４間に設けられた棚、２４は脚３の下面に取付けられたキャスタで、一方はブレーキ付きとされている。
【００２１】
上記のようにして天板１を水平状態にすると、図１のように目隠しパネル２がヒンジ部材９を介して垂直姿勢のまま上方に引上げられ、目隠しパネル２の上端が天板１の前端部上方に突出して目隠しを構成する。このとき天板１の前端部１ａと目隠しパネル２との間にはヒンジ部材９の屈曲部９ａの立ち上がりにより間隙Ｌが形成され、天板１上にＯＡ機器を載置した場合など、そのケーブル類を前記間隙Ｌを通して棚２３や床面へ導くことができる。
【００２２】
天板１を垂直状態に回転させると、目隠しパネル２も垂直姿勢のまま下降し、目隠しパネル２の下端はリンク８により規制されて最終的には図２に示すように目隠しパネル２の上半部が天板１に密着した状態となって折畳まれる。
【００２３】
【発明の効果】
以上説明したように本発明によれば、会議用テーブルや講義用テーブルにおいて、使用者は天板面上の手元の書類等が目隠しパネルにより対面者から見られないように隠すことができ、図書館等の閲覧用テーブルに用いた場合、対面者との仕切りとしての目隠しパネルがあるために、対面者を意識することなくテーブル上での作業を集中することができる。
【００２４】
また天板の前端と目隠しパネルとの間には間隙が形成されるようにしてあるので、テーブル上でＯＡ機器を使用する場合、この間隙にケーブルを通してケーブルの引き回しの処理ができ、天板面の有効利用を図ることができる。
【００２５】
さらにテーブルを使用しない場合には、天板を折畳むと目隠しパネルも連動して天板に密着した状態に収納されるので、テーブルを収納するに要するスペースを節減することができる。
【図面の簡単な説明】
【図１】本発明にかかる折畳みテーブルの一実施形態の使用時の状態を示す側面図。
【図２】同、折畳み状態を示す側面図。
【図３】図１、図２におけるヒンジ部の拡大図。
【図４】本発明に適用される折畳み構造の一例を示す説明図。
【図５】従来の折畳みテーブルの使用時の状態を示す側面図。
【図６】図５の折畳みテーブルを折畳んだ状態を示す側面図。
【符号の説明】
１  天板
２  目隠しパネル
３  脚
４  支柱
５  天板受け
７  ヒンジ
８  リンク
９  ヒンジ部材
１１  軸受部
１３  ピン
２１  操作レバー
【図１】
0003761642.tif 000002
【図２】
0003761642.tif 000003
【図３】
0003761642.tif 000004
【図４】
0003761642.tif 000005
【図５】
0003761642.tif 000006
【図６】
0003761642.tif 000007